(57)【要約】      （修正有）【課題】スーツの下がズボン若しくはスカートであっても１台の人台スタンドで共用かつ美麗に着衣させることができ、また人台本体の中心軸から左右いずれかの端部間にポールを自在に設定でき、しかも前記操作をより容易、迅速かつ確実にできるようにする。【解決手段】人台本体１の股部２の左右付け根２０から長くても膝部までの距離を有する太股部４ａ、４ｂを延出する。太股部の一方の底面に雌ねじ部品５を埋設する。ポール６の上端に左右位置調節孔７を穿った水平板を固定する。左右位置調節孔７を挿通するとともに雌ねじ部品５に螺着する雄ねじ部品９を具備することを特徴とする。【選択図】図４
0003141696.tif 000002
【実用新案登録請求の範囲】
【請求項１】
人台本体の股部の左右付け根から長くても膝部までの距離を有する太股部を延出し、前記太股部の一方の底面に雌ねじ部品を埋設し、ポールの上端に左右位置調節孔を穿った水平板を固定し、また前記左右位置調節孔を挿通するとともに前記雌ねじ部品に螺着する雄ねじ部品を具備することを特徴とする人台。
【請求項２】
太股部が付け根から延出し、膝部への途中を終端とすることを特徴とする請求項１記載の人台。
【請求項３】
雌ねじ部品が、水平板に嵌入筒を突設し、前記水平板上で、しかも嵌入筒の偏心位置にナットを固着し、前記水平板のナット対応位置に雄ねじ部品の雄ねじ部の遊挿孔を穿ち、前記水平板の四方にビス取付孔を穿つことを特徴とする請求項１の人台。
【請求項４】
左右位置調節孔が、細長孔であることを特徴とする請求項１の人台。
【請求項５】
ポールが、上端に水平板を固定した高低調節パイプとスタンドパイプとから成り、前記スタンドパイプの先端に雌ねじを水平方向に形成し、前記高低調節パイプを前記スタンドパイプに昇降自在に内挿し、固定用ねじを前記雌ねじに螺入して高低調節パイプを所望位置で固定することを特徴とする請求項１の人台。
【考案の詳細な説明】
【技術分野】
【０００１】
本考案は衣服の陳列、製作のために用いる、いわゆる人台に関する。
【背景技術】
【０００２】
従来から、第１例としてスーツ等、上着とズボン（以下、前者とする）若しくは上着とスカート（以下、後者とする）のように上下服を陳列する人台として図７の符号ａで示すトルソータイプのものと、トルソータイプに股部２を形成したタイプｂの２種類の人台を用意し、後者を陳列するにはトルソータイプａを、前者を陳列する場合はタイプｂを使用していた。
【０００３】
従来から、第２例として図３の水平２点鎖線ｃ位置を人台本体の底部とし、図８で示すように底部ｄ内の中心部と偏心位置とに短管ｅ、ｆを突設し、前者の場合には短管ｆにポールを継ぎ、後者の場合には短管ｅにポールを継ぐものがあった。
【０００４】
【特許文献１】なし。
【考案の開示】
【考案が解決しようとする課題】
【０００５】
従来第１例の場合は２種類のタイプの異なる人台ａ、ｂを用意しなければならず、大きい保管場所を必要とするとともに高価格につく。そこで経費を絞るとすればタイプｂにせざるを得ない。
【０００６】
このためポール６が中心軸に対して左右いずれかに位置し、後者の着衣の際に安定性に欠き、美的効果が小さい。
【０００７】
また第２例は図３の符号ｃで示す胴体までであり、着衣の下方が人台本体に付着することがなく、張りを失ってしわが寄ったり、崩れたりして美しく展示することができない。
【０００８】
さらに第２例の場合、ポールを中心・偏位位置のいずれに立設することが可能とはいえ、人台本体とポールの結合解除、位置変更（短管ｅとｆ）、再結合の手順となり、その操作が面倒である。
【０００９】
本考案は上述の欠点を解消することを課題にする。
【課題を解決するための手段】
【００１０】
本考案の第１の手段は、人台本体の股部の左右付け根から長くても膝部までの距離を有する太股部を延出し、前記太股部の一方の底面に雌ねじ部品を埋設し、ポールの上端に左右位置調節孔を穿った水平板を固定し、また前記左右位置調節孔を挿通するとともに前記雌ねじ部品に螺着する雄ねじ部品を具備することを特徴とするものである。
【００１１】
本考案の第２の手段は、前記第１の手段に加え、太股部が付け根から延出し、膝部への途中を終端とすることを特徴とするものである。
【００１２】
本考案の第３の手段は、前記第１の手段に加え、雌ねじ部品が水平板に嵌入筒を突設し、前記水平板上で、しかも嵌入筒の偏心位置にナットを固着し、前記水平板のナット対応位置に雄ねじ部品の雄ねじ部の遊挿孔を穿ち、前記水平板の四方にビス取付孔を穿つことを特徴とするものである。
【００１３】
本考案の第４の手段は、前記第１の手段に加え、左右位置調節孔が、細長孔であることを特徴とするものである。
【００１４】
本考案の第５の手段は、前記第１の手段に加え、ポールが、上端に水平板を固定した高低調節パイプとスタンドパイプとから成り、前記スタンドパイプの先端に雌ねじを水平方向に形成し、前記高低調節パイプを前記スタンドパイプに昇降自在に内挿し、固定用ねじを前記雌ねじに螺入して高低調節パイプを所望位置で固定することを特徴とするものである。
【考案の効果】
【００１５】
本考案によれば、前・後者の着衣とも１種類の人台で足り、スペース、価格とも小さくて足りる。またポールの位置を中心から偏位位置まで自由に選択でき、安定性、美的効果のいずれの点でも使用者のセンスに任せることができる。特にスカート着用の場合には、従来第１例のタイプｂのみを使用した場合に比べ、人台の中心軸の同軸線上にポールが位置し、着衣がシンメトリーとなり、外観美のレベルが高くなる。
【００１６】
さらに本考案によれば、太股部が延出されているので、上着は勿論、ズボンまで張りを失うことなく、心地よく整っているさまを展示することができる。
【００１７】
第２の考案によれば、前記効果に加え、ズボンを整わせて展示でき、しかも衣服の着脱操作がしやすい。
【００１８】
第３の考案によれば、図７のタイプｂの人台本体を金型で形成したときに形成されるポール挿入口にそのまま嵌入筒を嵌入すればよく、新金型を製造することなく、既製の金型を利用することができる、しかも構造が簡単で、容易、迅速かつ安価に製造することができる。
【００１９】
第４の考案によれば、ポールの位置変化の際にねじを緩めて人台本体をスライドさせ、ねじ締めするだけで足り、しかも構造が簡単で、容易、迅速かつ安価に製造することができる。
【００２０】
第５の考案によれば、中空タイプの人台内でポールを昇降させずに視認しながら、しかも操作しやすい位置でポールの高低調節をすることができる。
【考案を実施するための最良の形態】
【００２１】
トルソータイプの人台本体１の下方に股部２を形成し、股部２の左右付け根２０から太股部４ａ、４ｂを延出する。この太股部４ａ、４ｂは図３の点線で示す膝部３まで延出して大腿部を形成してもよいが、実線で示すように本実施の形態では膝部３への途中を終端４ｃとする。
【００２２】
本実施の形態における人台本体１は図７のタイプｂを形成するために使用される金型により、中空一体成形したものであるが、その製造中、図４で示す一方の太股部４ａ若しくは４ｂに図７のポール６を挿入するポール挿入口が形成されている。そこで前記ポール挿入口を嵌入筒挿入口１１にする。
【００２３】
図１、４で示すように金属製の水平板５０上にナット５２を固着するとともに水平板５０の対応位置に雄ねじ部品９たとえばノブねじの雄ねじ部９０が遊挿される遊挿孔５３を穿ち、水平板５０の四方にビス取付孔５４として具体的には皿孔を穿つ。水平板５０上に嵌入筒５１を溶接により突設する。この嵌入筒５１の径は前述の嵌入筒挿入口１１の径に略等しく、またこの嵌入筒５１は前記突設したときにナット５２が偏心位置にくる位置に設ける。
【００２４】
嵌入筒５１を嵌入筒挿入口１１から人台本体１の内部に挿入し、図示を省略した皿ビスを各ビス取付孔５４から終端４ｃ面に螺着する。
【００２５】
高低調節パイプ６０の上端に水平板８、具体的には図１で示す金属製の細長板８０を溶接により固着する。この細長板８０に左右位置調節孔７として細長孔７０を穿つ。
【００２６】
なお、図５では雌ねじ部品５の他例として中実の円柱５１ａに雌ねじ５２ａを螺設したものを示しているが、外径は前記嵌入筒５１と同じである。
【００２７】
また、図５、図６では左右位置調節孔７の他例として複数個の正円孔７０ａ、７０ａ・・と弧状細長孔７０ｂを示している。いずれにしてもこれらの他例は当然請求項１の雌ねじ部品５、左右位置調節孔７の概念に含まれるものであり、請求項１の雌ねじ部品５、左右位置調節孔７は他の形態でもよい。
【００２８】
図２で示すように金属製の高低調節パイプ６０と、接地具６４から立設した金属製のスタンドパイプ６１を接続してポール６を形成する。具体的には高低調節パイプ６０をスタンドパイプ６１に昇降自在となるように内挿するが、逆に高低調節パイプ６０をスタンドパイプ６１に昇降自在に外挿してもよい。前者の方が安定性が良い。
【００２９】
スタンドパイプ６１の下端にはフランジ６５を形成し、上端には短管６６を水平に形成し、この短管６６に螺子孔６２ａを水平に螺設し、螺子孔６２ａに固定用ねじ６３としてノブねじの雄ねじ６２を仮止めする。
【００３０】
次に本実施の形態の使用法および作用を説明すれば、接地具６４から立ち上がったスタンドパイプ６１に高低調節パイプ６０を昇降自在に内挿し、所望の高さ位置で固定用ねじ６３を緊締し、高低調節パイプ６０をスタンドパイプ６１に押し付けて固定する。
【００３１】
続いて図４で示すように雄ねじ部品９としてのノブねじを水平板８の下方から左右位置調節孔７の所望の箇所、例えば右端位置に雄ねじ部９０を挿通し、さらにナット５２に螺着する。このときポール６は人台本体１の中心軸つまり股部２の真下に位置することになる。
【００３２】
この位置でスカートを人台本体１の下方に着衣させれば、スカートは太股部４ａ、４ｂに接触し、綺麗に整い、しかもシンメトリーで美しい。その後、人台本体１に上着を着衣する。
【００３３】
またズボン着用の場合は人台本体１にズボンを着衣し、その後、図４の仮想線で示す位置に水平板８を移動し、所望位置で雄ねじ部品９を緊締する。図中符号９１はワッシャである。
【図面の簡単な説明】
【００３４】
【図１】本考案の要部を示す分解斜視図である。
【図２】同上のポールを示す一部切欠き正面図である。
【図３】同上の全体を示す正面図である。
【図４】本考案の要部を示す作用説明図である。
【図５】本考案の第１の他例を示す部品分解状態の断面図である。
【図６】本考案の第２の他例を示す部分斜視図である。
【図７】従来第１例の説明図である。
【図８】従来第２例の底面図である。
【符号の説明】
【００３５】
１  人台本体
２  股部
３  膝部
４ａ、４ｂ  太股部
４ｃ  終端
５  雌ねじ部品
６  ポール
７  左右位置調節孔
８  水平板
９  雄ねじ部品
２０  付け根
５０  水平板
５１  嵌入筒
５２  ナット
５３  遊挿孔
５４  ビス取付孔
６０  高低調節パイプ
６１  スタンドパイプ
６２  雄ねじ
６３  固定用ねじ
９０  雄ねじ部
【図１】
0003141696.tif 000003
【図２】
0003141696.tif 000004
【図３】
0003141696.tif 000005
【図４】
0003141696.tif 000006
【図５】
0003141696.tif 000007
【図６】
0003141696.tif 000008
【図７】
0003141696.tif 000009
【図８】
0003141696.tif 000010